(57)【要約】【課題】  既設のケーブル等に対しても容易に装着することができ、しかも、導電体の隙間をなくして良好に電磁波シールドを行うことのできる電磁波シールドテープ、及び、その電磁波シールドテープが外周に巻回されたケーブルの提供。【解決手段】  電磁波シールドテープ１は、ホットメルト材に磁性フィラーを充填してなるホットメルト磁性テープ５を導電性のメッシュテープ３に積層し、溶融させて一体化することによって構成されている。また、メッシュテープ３の両側の端縁３ａはホットメルト磁性テープ５の端縁からはみ出している。ケーブル１１の一端近傍から電磁波シールドテープ１を螺旋状に巻回し、この巻回時にはメッシュテープ３の端縁３ａが重なり合うようにすることで、ケーブル１１の外周を隙間なく導電体で覆うことができる。【選択図】  図３
2006216338.tif 000002
【特許請求の範囲】
【請求項１】
加熱によって溶融するホットメルトテープと、
導電性を有する導電性テープと、
を積層してなる電磁波シールドテープであって、
上記導電性テープの片側または両側の端縁が、上記ホットメルトテープの端縁からはみ出したことを特徴とする電磁波シールドテープ。
【請求項２】
上記導電性テープが、ワイヤメッシュテープであることを特徴とする請求項１記載の電磁波シールドテープ。
【請求項３】
上記ホットメルトテープが、磁性フィラーを充填した樹脂によって構成されたことを特徴とする請求項１または２記載の電磁波シールドテープ。
【請求項４】
上記ホットメルトテープと上記導電性テープとが、上記ホットメルトテープを一旦溶融させて固化させることにより互いに被着されたことを特徴とする請求項１〜３のいずれかに記載の電磁波シールドテープ。
【請求項５】
外周に、請求項１〜４のいずれかに記載の電磁波シールドテープが螺旋状に巻回されたことを特徴とするケーブル。
【発明の詳細な説明】
【技術分野】
【０００１】
本発明は、ケーブル等の周囲に巻回されてそのケーブル等に出入りする電磁波をシールドする電磁波シールドテープ、及び、その電磁波シールドテープが外周に巻回されたケーブルに関する。
【背景技術】
【０００２】
従来より、ケーブル等の周囲を導電体で被覆し、そのケーブル等に出入りする電磁波をシールドすることが考えられている（例えば、特許文献１，２参照。）。
【特許文献１】特開平１１−１８５５４２号公報
【特許文献２】特開平１０−２４１９２５号公報
【発明の開示】
【発明が解決しようとする課題】
【０００３】
ところが、上記特許文献１のように、ケーブルをチューブ状の導電体で被覆する場合は、既設のケーブルに後から電磁波シールドを施すことができない。すなわち、この場合、既設のケーブルを取り外し、チューブ状の導電体で被覆されたケーブルと取り替える必要がある。
【０００４】
これに対して、上記特許文献２に記載の技術では、テープ状の導電体をケーブルに螺旋状に巻回することによって電磁波シールドを施すことができるので、既設のケーブルに対しても容易に電磁波シールドを施すことができる。
【０００５】
しかしながら、この場合、導電体を支持するためにその導電体と同じ幅の絶縁体をその導電体に積層しており、次のような課題が生じる。すなわち、ケーブルの外周に螺旋状に巻回した際に、テープ状の導電体の端縁間に隙間が生じ、この部分から電磁波が出入りしてしまうのである。そこで、本発明は、既設のケーブル等に対しても容易に装着することができ、しかも、導電体の隙間をなくして良好に電磁波シールドを行うことのできる電磁波シールドテープ、及び、その電磁波シールドテープが外周に巻回されたケーブルを提供することを目的としてなされた。
【課題を解決するための手段】
【０００６】
上記目的を達するためになされた本発明は、加熱によって溶融するホットメルトテープと、導電性を有する導電性テープと、を積層してなる電磁波シールドテープであって、上記導電性テープの片側または両側の端縁が、上記ホットメルトテープの端縁からはみ出したことを特徴としている。
【０００７】
このように構成された本発明では、導電性テープをケーブル等の外周に例えば螺旋状に巻回することによってそのケーブル等に出入りする電磁波をシールドすることができる。また、上記巻回後に、導電性テープに積層されたホットメルトテープを加熱して溶融させれば、導電性テープの位置を固定して支持することができる。従って、本発明の電磁波シールドテープは、既設のケーブル等に対しても容易に装着することができる。
【０００８】
更に、本発明では、上記導電性テープの片側または両側の端縁がホットメルトテープの端縁からはみ出しているので、隣接する導電性テープの端縁が重なり合うように上記巻回を行うことができる。こうすることによって、上記ケーブル等の外周を隙間なく導電性テープ（前述の導電体に相当）で覆うことができ、極めて良好に電磁波シールドを行うことができる。また、本発明では、ホットメルトテープの端縁からはみ出した導電性テープの端縁をアース電極と接続することも容易で、この場合、ケーブル等の外周を覆う導電性テープの電位をアース電位に維持して一層良好に電磁波シールドを行うことができる。
【０００９】
なお、本発明では、上記導電性テープとしては導電性を有するテープであれば種々の形態のものが使用できるが、上記導電性テープは、ワイヤメッシュテープであってもよい。この場合、上記ホットメルトテープを積層することによって、メッシュのほつれを防止することができるといった更なる効果が生じる。
【００１０】
また、本発明では、上記ホットメルトテープとしては加熱によって溶融するものであれば種々の形態のものが使用できるが、上記ホットメルトテープは、磁性フィラーを充填した樹脂によって構成されてもよい。この場合、樹脂に充填された磁性フィラーによって、ケーブル等に出入りする電磁波を吸収することもできる。すなわち、この場合、導電性テープによる電磁波の反射と磁性フィラーによる電磁波の吸収とを並行して実施でき、一層良好に電磁波シールドを行うことができるといった更なる効果が生じる。
【００１１】
更に、本発明では、上記ホットメルトテープと上記導電性テープとの積層方法については特に限定していないが、上記ホットメルトテープと上記導電性テープとは、上記ホットメルトテープを一旦溶融させて固化させることにより互いに被着されてもよい。この場合、ホットメルトテープと導電性テープとを容易にかつ強固に一体化することができ、電磁波シールドテープの耐久性を一層向上させることができるといった更なる効果が生じる。
【００１２】
また、本発明のケーブルは、外周に、上記いずれかに記載の電磁波シールドテープが螺旋状に巻回されたことを特徴としている。このため、本発明のケーブルは、前述のように外周を隙間なく導電性テープで覆われ、そのケーブルに出入りする電磁波が良好にシールドされる。従って、本発明のケーブルを使用すれば、そのケーブルを伝送される信号等にノイズが生じるのを防止したり、そのケーブルを伝送される電流によって周囲の回路等にノイズが生じるのを防止したりすることが、極めて良好に行える。
【発明を実施するための最良の形態】
【００１３】
次に、本発明の実施の形態を、図面と共に説明する。図１は、本発明が適用された電磁波シールドテープ１の構成を表す平面図である。図１に示すように、電磁波シールドテープ１は、導電性のメッシュテープ３（導電性テープに相当）に、ホットメルト磁性テープ５（ホットメルトテープに相当）を積層して両者を一体化することによって構成されている。また、メッシュテープ３の両側の端縁３ａは、ホットメルト磁性テープ５の端縁からはみ出している。先ず、この電磁波シールドテープ１の製造方法について説明する。電磁波シールドテープ１の製造工程は、以下の工程から成り立っている。
【００１４】
（１）ホットメルト磁性テープ５の製造工程：磁性フィラーの製造方法は様々であるが、例えばＦｅ−Ｓｉ−Ｃｒ系、Ｆｅ−Ｓｉ−Ａｌ系、Ｆｅ−Ｎｉ系及びアモルファス系材料は、溶融した材料からガスアトマイズ法や水アトマイズ法などによって製造する。更に必要に応じてアトライタを用いて希望のアスペクト比まで扁平化し、また、歪み除去のための熱処理を窒素雰囲気中などで施す場合もある。
【００１５】
上記を磁性フィラー製造の一例とするが、材料によってその製造方法は異なる。例えばフェライト系材料であれば材料を混合し、仮焼成した後、粉砕、スプレードライヤーによって磁性フィラーを製造する。その他、磁性フィラーとしては限定されず種々のものが使用できる。
【００１６】
この磁性フィラーを、溶融したホットメルト材に混合し、ＰＥＴなどからなる基材７（図２参照）に塗工してシート化し、ホットメルト磁性テープ５を作成する。なお、ホットメルト材としては、ポリエステル，エポキシ，アクリル，ウレタンなど、種々のものが使用できる。
【００１７】
（２）電磁波シールドテープ１の製造工程：上記のようにして得られたホットメルト磁性テープ５を、図２（Ａ）に示すように市販のメッシュテープ３に乗せ、図２（Ｂ）に示すように上下方向から加熱プレスする。こうすることによって、ホットメルト磁性テープ５が溶融してメッシュテープ３の網目に入り込み、両者が強固に一体化する。
【００１８】
ホットメルト磁性テープ５が固化した後、図２（Ｃ）に示すように基材７をホットメルト磁性テープ５から剥がせば、電磁波シールドテープ１が得られる。なお、メッシュテープ３としては、導電糸，導電布，金属（Ｃｕ，Ｓｎメッキ銅線）などからなる種々のものが使用できる。
【００１９】
このように構成された電磁波シールドテープ１は、ケーブル等の外周に例えば螺旋状に巻回することによって使用される。図３は、電磁波シールドテープ１の、円柱状のケーブル１１に対する装着例を表す説明図である。
【００２０】
ケーブル１１に電磁波シールドテープ１を装着する場合、図３（Ａ），（Ｂ）に示すように、ケーブル１１の一端近傍から電磁波シールドテープ１を螺旋状に巻回していく。なお、この巻回時には、図３（Ｂ）に示すように、メッシュテープ３の端縁３ａが重なり合うようにする。
【００２１】
図３（Ｃ）に示すように、電磁波シールドテープ１の巻回が終了すると、続いて、図３（Ｄ）に示すように、巻回後の電磁波シールドテープ１の外周より小さくケーブル１１の外周より大きい径の穴１３ａを有する加熱治具１３に通すことによって、電磁波シールドテープ１をケーブル１１に加熱・圧着する。
【００２２】
この加熱・圧着により、ホットメルト磁性テープ５が一旦溶融した後固化し、導電性のメッシュテープ３をケーブル１１の外周から少し間隔を開けた位置に固定することができる。すると、導電性のメッシュテープ３による電磁波反射作用、及び、ホットメルト磁性テープ５による電磁波吸収作用によって、ケーブル１１に出入りする電磁波を良好にシールドすることができる。しかも、この場合、メッシュテープ３の端縁３ａが重なりあっているので、ケーブル１１の外周を隙間なく導電体（メッシュテープ３）で覆うことができ、極めて良好に電磁波シールドを行うことができる。
【００２３】
従って、このようにして電磁波シールドテープ１で被覆されたケーブル１１では、そのケーブル１１を伝送される信号等にノイズが生じるのを防止したり、そのケーブル１１を伝送される電流によって周囲の回路等にノイズが生じるのを防止したりすることが、極めて良好に行える。また、電磁波シールドテープ１は、上記のように螺旋状に巻回することによってケーブル１１に装着できるので、既設のケーブル１１に対しても容易に装着することができる。
【００２４】
更に、電磁波シールドテープ１では、前述のようにホットメルト磁性テープ５の端縁からメッシュテープ３の端縁３ａがはみ出している。このため、図４（Ａ）に示すように、端縁３ａをアース電極としての筐体１５などに接触させれば、メッシュテープ３の電位をアース電位に維持して一層良好に電磁波シールドを行うことができる。
【００２５】
また、電磁波シールドテープ１は、図４（Ｂ）に示すように、長手方向をフラットケーブル１７の軸方向に揃えてそのフラットケーブル１７に巻き付けて使用することもできる。この場合も、端縁３ａを、ハトメ２１，グランド線２３，及びビス２５を介してアース電極に接続することができ、上記と同様に、メッシュテープ３の電位をアース電位に維持して極めて良好に電磁波シールドを行うことができる。
【００２６】
なお、本発明は上記実施の形態に何ら限定されるものではなく、本発明の要旨を逸脱しない範囲で種々の形態で実施することができる。例えば、ホットメルト磁性テープ５の代わりに、磁性フィラーを含まない一般的なホットメルトテープを使用してもよい。また、メッシュテープ３の代わりに、金属箔からなるテープなど、種々の導電性テープを使用することができる。この場合も、例えば上記金属箔に均一に穴が穿設されている場合などには、ホットメルトテープを溶融させてその穴を貫通させた後固化させることにより、金属箔とホットメルトテープとを上記実施の形態と同様に強固に一体化することができる。
【００２７】
但し、本発明の導電性テープでは、上記網目または穴を有することは必ずしも必要なく、少なくと、導電性テープの片側の端縁がホットメルトテープの端縁からはみ出し、そのホットメルトテープと積層されていればよい。この場合も、前述のように、ケーブル１１等の外周を導電性テープで隙間なく覆うことができる。更に、本発明の電磁波シールドテープは、ケーブル以外の種々の部材を被覆して、電磁波シールドの用途に使用することができる。
【図面の簡単な説明】
【００２８】
【図１】本発明が適用された電磁波シールドテープの構成を表す平面図である。
【図２】その電磁波シールドテープの製造方法を表す説明図である。
【図３】その電磁波シールドテープのケーブルへの装着例を表す説明図である。
【図４】その電磁波シールドテープのアースを利用した装着例を表す説明図である。
【符号の説明】
【００２９】
１…電磁波シールドテープ      ３…メッシュテープ    ３ａ…端縁
５…ホットメルト磁性テープ    １１…ケーブル        １７…フラットケーブル
【図１】
2006216338.tif 000003
【図２】
2006216338.tif 000004
【図３】
2006216338.tif 000005
【図４】
2006216338.tif 000006